(57)【要約】【課題】カードスロットにメモリーカードが傾いた状態で装填されている場合でも閉まらないようにした装填蓋構造を有する電子機器を提供する。【解決手段】カード装填蓋１０の裏面には、メモリーカード１４が適正位置までカードスロット１２に装填されていない場合に、カード装填蓋１０をスライド動作させたときに、メモリーカード１４の両端位置に当接してロック位置への移動を阻止するための２つの突起１６、１７が設けられている。メモリーカード１４がカードスロット１２に斜めに装填された場合でも突起１６，１７のどちらか１つは必ずメモリーカード１４に当接するため、カード装填蓋１０が閉じることはない。【選択図】        図３
2004227510.tif 000002
【特許請求の範囲】
【請求項１】
メモリーカードがカードスロットを通して一端側から所定量挿入されたときにメモリーカードを適正な装填位置に受容するカード受容手段と、前記カードスロットを覆う閉じ位置とカードスロットを露呈させる開き位置との間で開閉自在な装填蓋を備え、閉じ位置に移動した装填蓋をさらにスライドさせたときに装填蓋がロック位置で係止されるようにした電子機器において、
前記装填蓋の内面に一対の突起を形成するとともに、閉じ位置からロック位置に向かう装填蓋のスライド方向を、平板状をしたメモリーカードの表裏面に直交する方向とし、メモリーカードの挿入量が前記所定量に満たない状態で装填蓋を閉じ位置からロック位置にスライド操作したときには、メモリーカードの他端側幅方向の両端の少なくともいずれかに前記突起の一方を当接させるようにしたことを特徴とする電子機器。
【請求項２】
前記カード受容手段を回路基板の一方の面に固定するとともに、前記突起が当接したときの押圧力で回路基板が変形しないように、回路基板の他方の面を受け止める変形防止部材を設けたことを特徴とする請求項１記載の電子機器。
【発明の詳細な説明】
【０００１】
【発明の属する技術分野】
本発明はカードスロットを覆う装填蓋を備えた電子機器に関するものであり、さらに詳しくは、カードスロットにメモリーカードが適正位置に装填されていない場合に蓋が閉まらない構造にすることによりカードの誤挿入を防止する装填蓋構造を有する電子機器に関するものである。
【０００２】
【従来の技術】
デジタルカメラなどの電子機器では、データの保存・読み出しを行うためにメモリーカードを用いる方法が一般的になっている。このメモリーカードは、カードスロットに着脱自在に装填され、カードスロットを介して電子機器本体とデータの授受を行っている。
【０００３】
このようにメモリーカードをカードスロットに装填する方法を用いる場合、カードスロットにメモリーカードが適正位置に装填されないと、メモリーカードとカードスロット内部に備えられているコネクターとの接触不良が生じてしまう。このような状態でデータ授受を行うと、メモリーカードに取り込まれているアクセス中のデータが破壊されたり、さらにはメモリーカードにすでに記録されているデータがすべて破壊されてしまうといった問題が生じることがある。
【０００４】
このような問題を防止するために、特許文献１では、カードスロットを開閉する蓋部の１箇所に突起を設け、カードスロットにメモリーカードが適正位置に装填されていないときには突起がメモリーカードのセンター部に突き当たることによって蓋部が閉まらないようにすることにより、メモリーカードが正常にカードスロットに装填されていないことをユーザーが認識するセーフティー機能を備えた電子機器が開示されている。
【０００５】
【特許文献１】
特開２００１−７５１５９号公報
【０００６】
【発明が解決しようとする課題】
しかしながら、特許文献１の電子機器では、突起がカードセンター部の一箇所にのみに接触するように構成されているため、メモリーカードがカードスロットに対して傾いた状態で装填された場合に蓋部が閉まってしまう可能性がある。この状態ではメモリーカードとコネクターとが接触不良を起こしており、しかもメモリーカードが正常にカードスロットに装填されていないことをユーザーが認識することができないので、メモリーカードと電子機器本体との間のデータ授受が行われてしまい、データ破壊などの不具合が発生してしまう恐れがある。
【０００７】
本発明は上記問題点を考慮してなされたものであり、カードスロットにメモリーカードが傾いた状態で装填されている場合でも閉まらないようにした装填蓋構造を有する電子機器を提供することを目的とする。
【０００８】
【課題を解決するための手段】
上記目的を達成するために、本発明の電子機器は、メモリーカードがカードスロットを通して一端側から所定量挿入されたときにメモリーカードを適正な装填位置に受容するカード受容手段と、前記カードスロットを覆う閉じ位置とカードスロットを露呈させる開き位置との間で開閉自在な装填蓋を備え、閉じ位置に移動した装填蓋をさらにスライドさせたときに装填蓋がロック位置で係止されるように構成し、装填蓋の内面に一対の突起を形成するとともに、閉じ位置からロック位置に向かう装填蓋のスライド方向を、平板状をしたメモリーカードの表裏面に直交する方向とし、メモリーカードの挿入量が前記所定量に満たない状態で装填蓋を閉じ位置からロック位置にスライド操作したときには、メモリーカードの他端側幅方向の両端の少なくともいずれかに前記突起の一方を当接させるようにしたことを特徴とする。
【０００９】
また、前記カード受容手段を回路基板の一方の面に固定するとともに、前記突起が当接したときの押圧力で回路基板が変形しないように、回路基板の他方の面を受け止める変形防止部材を設けることが好ましい。
【００１０】
【発明の実施の形態】
図１は、本発明を適用したデジタルカメラの外観を示す斜視図である。デジタルカメラ２の本体３の前面には、撮影レンズ６とレンズバリア７とが組み込まれたレンズ鏡筒５、ファインダ８、ストロボ発光部４が設けられている。本体３の上面には、レリーズボタン９が設けられている。なお、本体３の背面側には、図示しない電源スイッチや画像表示用のＬＣＤパネルなどが設けられている。
【００１１】
本体３の一方の側面には、カード装填蓋１０が、カードスロット１２を開放する開き位置と、カードスロット１２を覆う閉じ位置との間で開閉自在に取り付けられており、カードスロット１２にはメモリーカード１４が着脱自在に装填される。メモリーカード１４には接触板１５が設けられており、カードスロット１２内の金属接片１３（図２参照）と接触することにより、本体３とのデータ授受が行われる。カードスロット１２は、メモリーカード１４が適正位置まで装填されると、図示しないロック機構によってメモリーカード１４をロックする。メモリーカード１４を取り出すときは、収納状態にあるメモリーカード１４の後端部をプッシュ操作することによりロック機構が解除され、メモリーカード１４がカードスロット１２の排出位置に移動するので、この排出位置からユーザーがメモリーカード１４を取り出すことができる。
【００１２】
図２は、本発明の装填蓋構造を垂直方向に切断した断面図である。カード装填蓋１０はヒンジ板２０にスライド移動可能に取り付けられており、ヒンジ板２０の先端部がヒンジ軸２２によって回動自在に支持されている。また、ヒンジ板２０はヒンジ軸２２に取り付けられたコイルばね２２によって開放方向にばね付勢されている。
【００１３】
また、カード装填蓋１０の裏面には、メモリーカード１４が適正位置までカードスロット１２に装填されていない場合に、カード装填蓋１０の図中矢印方向へのスライド動作によりメモリーカード１４の両端位置に当接してスライド動作を阻止するための２つの突起１６、１７（図３参照）が設けられている。なお、適正位置とは、メモリーカード１４に備えられている接触板１５とカードスロット１２内に設けられている金属接片１３とが確実に接触する位置を指して用いられる。さらにカード装填蓋１０の裏面には、閉じ位置にあるカード装填蓋１０が開放されないように本体３にロックするための蓋ロック爪２４が設けられており、カード装填蓋１０の図中矢印方向へのスライド動作によって蓋ロック爪２４が本体３の係止片２６と噛合することによりカード装填蓋１０のロックが行われる。これにより、不意にカード装填蓋１０が開いてしまうような事故を防止することができる。
【００１４】
本体３にはカードスロット１２が取り付けられており、さらに図示しないコネクタ及びアクセス用回路４２（図５参照）が取り付けられたコネクタ基板３０がカードスロット１２に当接して取り付けられている。また、カード装填蓋１０がロックされていないことを検知するための蓋オープン検知スイッチ２８が設けられており、カード装填蓋１０がロックされていないときには本体３の電源４４（図５参照）がＯＮしないように制御されている。
【００１５】
さらに本体３には、突起１６，１７がメモリーカード１４に当接した時に、突起１６，１７の押圧によりメモリーカード１４を介してカードスロット１２及びコネクタ基板３０に押圧力が加わり、カードスロット１２及びコネクタ基板３０が変形しないように、カードスロット１２及びコネクタ基板３０を支持するための変形防止部材３２が設けられている。
【００１６】
図３は、本発明の装填蓋構造を水平方向に切断した断面図である。カード装填蓋１０には２つの突起１６，１７が設けられており、カードスロット１２にメモリーカード１４が適正位置に装填されていない場合、メモリーカード１４の両端部に当接するように構成されている。このように構成することにより、メモリーカード１４がカードスロット１２に斜めに装填された場合でも突起１６，１７のどちらか１つは必ずメモリーカード１４に当接するため、カード装填蓋１０が閉じることはない。
【００１７】
図４は、カードスロットにメモリーカードが適正位置まで装填されている状態を示す説明図である。カード装填蓋１０を閉じ、図中矢印方向へスライド移動させると、カード装填蓋１０に備えられた蓋ロック爪２４が本体３の係止片２６と噛合することにより、カード装填蓋１０はロック状態となる。このスライド移動の際に、突起１６，１７がメモリーカード１４と当接することはない。
【００１８】
さらに、カード装填蓋１０がロックされると、蓋ロック爪２４は係止片２６によってロックされるのと同時に蓋オープン検知スイッチ２８の突起部２８ａを押圧する。突起部２８ａが押圧されると、蓋オープン検知スイッチ２８がＯＦＦされる。
【００１９】
図５は、カードスロットにメモリーカードが適正位置まで装填されていない状態を示す説明図である。この状態では、メモリーカード１４に備えられている接触板１５とカードスロット１２内に設けられている金属接片１３との接触が確実でなく、不安定になっている。この状態でカード装填蓋１０を図中矢印方向にスライドさせると、突起１６，１７がメモリーカード１４と当接し、スライド動作が阻止される。このように、カード装填蓋１０をロックすることができないため、ユーザーはメモリーカード１４がカードスロット１２に適切に装填されていないことを認識することができる。
【００２０】
また、突起１６，１７の押圧によりメモリーカード１４を介してカードスロット１２及びコネクタ基板３０に押圧力が加わるが、コネクタ基板３０が変形防止部材３２と当接することにより支持されるので、過大な押圧力が加わってもカードスロット１２及びコネクタ基板３０が変形することはない。
【００２１】
さらに、カード装填蓋１０のスライド動作が阻止されると、蓋ロック爪２４が蓋オープン検知スイッチ２８の突起部２８ａを押圧しないため、蓋オープン検知スイッチ２８はＯＮしたままである。
【００２２】
図６は、本発明を実施したデジタルカメラの内部構成を示すブロック図である。撮像部３４は、ＣＣＤイメージセンサやＡ／Ｄコンバータなどからなり、被写体画像を撮像するために必要な部材を中心に構成されている。撮像部３４で生成された画像データは、順次画像データ処理回路３６に入力される。画像データ処理回路３６で、入力された画像データに対して各種補正処理を行った後、ＣＰＵ４０に画像データが入力される。
【００２３】
ＣＰＵ４０からの指示により、アクセス用回路４２ではカードスロット１２を介してメモリーカード１４へのデータの書き込み及びメモリーカード１４からのデータの読み出しなどの信号処理が行われる。ＣＰＵ４０にはさらに蓋オープン検知スイッチ２８と電源４４が接続されており、ＣＰＵ４０は蓋オープン検知スイッチ２８がＯＦＦしているときに電源４４をＯＮするようにし、蓋オープン検知スイッチ２８がＯＮしているときには電源４４をＯＮしないように構成されている。
【００２４】
上記構成の作用について説明する。ユーザーがメモリーカード１４をカードスロット１２に適正位置に装填し、カード装填蓋１０をロックすると、蓋オープン検知スイッチ２８がＯＦＦされる。蓋オープン検知スイッチ２８がＯＦＦされると、ＣＰＵ４０は電源４４をＯＮしてもよいと判断する。ここでユーザーが電源スイッチを操作すれば、電源４４がＯＮされる。
【００２５】
一方、メモリーカード１４がカードスロット１２に適正位置に装填されていない場合には、カード装填蓋１０を閉じることができず、蓋オープン検知スイッチはＯＮしたままである。蓋オープン検知スイッチ２８がＯＮしていると、ＣＰＵ４０は電源４４をＯＮしてはならないと判断する。ここでユーザーが電源スイッチを操作しても、電源４４がＯＮされることはない。このように構成することにより、メモリーカード１４がカードスロット１２に適正位置に装填されていない場合には電源がＯＮしないため、メモリーカードとコネクターとの接触不良に起因するデータ破壊などの誤作動を防止することができる。
【００２６】
なお、上記実施形態では蓋オープン検知スイッチがＯＮしているときには電源がＯＮしないように構成しているが、この構成の代わりに、蓋オープン検知スイッチがＯＮしているときにはアクセス用回路をＯＦＦ状態とするように構成することもできる。このようにすれば電源がＯＮされてもメモリーカードへのデータ授受は行われることがなく、メモリーカードとコネクターとの接触不良に起因するデータ破壊などの誤作動を防止することができる。
【００２７】
なお、上記実施形態においては、本発明を実施した電子機器としてデジタルカメラを例に挙げて説明しているが、本発明はこれに限定されるものではなく、例えば、携帯電話、ノート型パーソナルコンピュータ、ＰＤＡなどの情報端末、携帯用音楽再生装置など、メモリーカードに対してデータを書き込み又は読み出しを行う電子機器であればよい。
【００２８】
【発明の効果】
以上説明したように、本発明の電子機器によれば、メモリーカードが適正位置までカードスロットに装填されていない場合、カード装填蓋のロック位置へのスライド動作によりメモリーカードの両端位置近傍に当接してスライド動作を阻止する一対の突起を設けたので、カードスロットにメモリーカードが傾いた状態で装填されている場合でもカード装填蓋が閉まることがなく、メモリーカードとコネクターとの接触不良に起因するデータ破壊などの不具合を防止することができる。
【００２９】
また、カード装填蓋に備えられた突起が当接したときの押圧力でコネクタ基板が変形しないように、コネクタ基板の他方の面を受け止める変形防止部材を設けたので、コネクタ基板に過大な押圧力が加わることによってコネクタ基板が変形することを防止することができる。
【図面の簡単な説明】
【図１】本発明を適用したデジタルカメラの外観を示す斜視図である。
【図２】本発明の装填蓋構造を垂直方向に切断した断面図である。
【図３】本発明の装填蓋構造を水平方向に切断した断面図である。
【図４】カードスロットにメモリーカードが適正位置に装填されている状態を示す説明図である。
【図５】カードスロットにメモリーカードが適正位置まで装填されていない状態を示す説明図である。
【図６】本発明を実施したデジタルカメラの内部構成を示すブロック図である。
【符号の説明】
２  デジタルカメラ
３  本体
１０  カード装填蓋
１２  カードスロット
１４  メモリーカード
２８  蓋オープン検知スイッチ
３２  変形防止部材
４０  ＣＰＵ
４４  電源
【図１】
2004227510.tif 000003
【図２】
2004227510.tif 000004
【図３】
2004227510.tif 000005
【図４】
2004227510.tif 000006
【図５】
2004227510.tif 000007
【図６】
2004227510.tif 000008